(57)【要約】【課題】使用者の操作により給水開始した後において、給水継続中の途中で使用者の操作により強制的に給水停止することのできるフラッシュバルブ装置を提供する。【解決手段】フラッシュバルブ装置１０において、第１導水路２０に加えて第２導水路６０を設けるとともに、その第２導水路６０上に、通常はこれを閉鎖した状態に維持し、人の操作に基づいて開弁する緊急停止弁６２を設ける。そしてその強制開弁により圧力室１８への水の導入量を増して主弁１４を閉弁させ、給水を緊急停止させるようにする。【選択図】        図１
2007177393.tif 000002
【特許請求の範囲】
【請求項１】
(a)給水路と、(b)該給水路を開閉する主弁と、(c)該主弁の背後に形成され、水の圧力により該主弁を閉弁方向に押圧する圧力室と、(d)前記給水路における前記主弁の上流部と前記圧力室とを連通させ、該給水路の水を該圧力室に導入する導水路と、(e)該圧力室の水を該給水路における前記主弁の下流部に抜き出す水抜路と、(f)該水抜路を開放して該主弁を開弁動作させ、給水を開始させる起動弁と、を備えてなる給水装置において、
前記導水路を通常は絞った状態に維持し、人の操作に基づいて該導水路を該絞った状態から広開度状態に切り換えて前記圧力室への水の導入量を増し、給水を緊急停止する緊急停止弁と、該緊急停止弁を強制的に広開度側に操作する緊急停止操作部と、を設けたことを特徴とする給水装置。
【請求項２】
請求項１において、前記導水路が前記主弁を貫通して前記給水路における前記主弁の上流部と前記圧力室とを連通させる第１導水路と、該主弁をバイパスして該上流部と該圧力室とを連通させる第２導水路とを含んで構成してあり、前記緊急停止弁が該第２導水路を開閉することによって前記導水路を前記絞った状態から広開度状態に切り換えるものであることを特徴とする給水装置。
【請求項３】
請求項２において、前記第２導水路の流路面積が前記第１導水路の流路面積に対して大きくされていることを特徴とする給水装置。
【請求項４】
請求項１〜３の何れかにおいて、便器洗浄水を給水するフラッシュバルブ装置として構成されていることを特徴とする給水装置。
【発明の詳細な説明】
【技術分野】
【０００１】
この発明は便器洗浄水を給水するフラッシュバルブ装置等として好適な給水装置に関する。
【背景技術】
【０００２】
従来より、大便器や小便器（以下単に便器とする）に対して用便後に便器洗浄水を給水するフラッシュバルブ装置が公知である（例えば下記特許文献１）。
従来、このフラッシュバルブ装置は、(a)給水路と、(b)給水路を開閉する主弁と、(c)主弁の背後に形成され、水の圧力により主弁を閉弁方向に押圧する圧力室と、(d)給水路における主弁の上流部と圧力室とを連通させ、給水路の水を圧力室に導入する導水路と、(e)圧力室の水を給水路における主弁の下流部に抜き出す水抜路と、(f)水抜路を開放して主弁を開弁動作させ、給水を開始させる起動弁と、を備えた構造をなしている。
このフラッシュバルブ装置では、使用者が操作部を操作すると起動弁が開弁して水抜路を開放する。すると圧力室の水が水抜路を通じて給水路における主弁の下流部に抜き出され、圧力室の圧力が消失する。
ここにおいて主弁が給水路の上流部の給水圧に基づいて開弁し、給水路を開放して便器洗浄水を給水する。
【０００３】
一方主弁が開弁すると、給水路における上流部の水が導水路を通じて圧力室内に流入し、これにより圧力室の圧力が漸次増大し、そしてその圧力が所定圧に達すると主弁が自動的に閉弁し、給水を停止する。
即ちフラッシュバルブ装置の場合、使用者が操作を行うことで便器洗浄水の給水を開始し、その後は設定量の便器洗浄水を給水したところで自動的に主弁が閉じて給水を停止する。
【０００４】
通常このフラッシュバルブ装置では、使用者が給水開始を行わせるための操作部が手動操作部とされているが、センサ式の操作部、即ち使用者がかざした手或いは人体を非接触で検知し、そのかざした手や人体の検知ないしは非検知に基づいて便器洗浄水を給水する形式のものも知られている。
【０００５】
ところでフラッシュバルブ装置の設置された便器（特に大便器）において、ティッシュペーパー等が流されることによって便器に詰りが発生し、排水が良好に行われないことがある。
この場合使用者がその詰りを解消しようとして再度フラッシュバルブ装置を操作することがある。
このとき再度の給水によっても詰りが解消されないと、フラッシュバルブ装置から便器に流れ込んだ水が便器から溢れてしまう恐れがある。
従来のフラッシュバルブ装置の場合、一旦操作部を操作して給水開始させると、予め設定されている量の便器洗浄水が給水され終わるまで給水が停止せず、使用者が「しまった」と思って給水停止させようとしても、これを行うことができないからである。
【０００６】
また操作部がセンサ式の操作部の場合、使用者が詰りの原因を調べようとして身体を動かしているときに、誤ってセンサが手や人体を検知してしまい、意図せず洗浄水が給水開始されてしまう場合がある。このような場合にも上記と同様の問題を生ずる。
以上では主として大便器の場合について述べたが、小便器においても事情はほぼ同様である。
このような場合、フラッシュバルブ装置の近くに設けてある止水栓を操作して止水するといったことも考えられないではないが、止水栓において止水しようとすると工具を用いて止水操作を行わなければならず、止水までに長時間を要してしまって、緊急に給水を停止したい場合には止水栓による止水では対応することができない。
【０００７】
以上便器洗浄水を給水するフラッシュバルブ装置について問題点を述べたが、設定量の水を給水した後自動的に給水停止するものとして自閉水栓（セルフストップ水栓）があり、この自閉水栓においても使用者の操作により給水開始した後は、設定量の水を給水してしまうまで給水停止しないことから、その間に使用者が水を止めたいと思ってもこれを行うことができず、フラッシュバルブ装置と同種の問題が内在する。
本発明は、このように使用者が給水開始した後に設定量の水を給水したところで自動的に給水停止する給水装置に特有に生じる上記の問題を解決すべく案出されたものである。
【０００８】
【特許文献１】特開平４−６８１３１号公報
【発明の開示】
【発明が解決しようとする課題】
【０００９】
本発明は以上のような事情を背景とし、使用者の操作により給水開始した後において、給水継続中の途中で使用者の操作により強制的に給水停止することのできる給水装置を提供することを目的としてなされたものである。
【課題を解決するための手段】
【００１０】
而して請求項１のものは、(a)給水路と、(b)該給水路を開閉する主弁と、(c)該主弁の背後に形成され、水の圧力により該主弁を閉弁方向に押圧する圧力室と、(d)前記給水路における前記主弁の上流部と前記圧力室とを連通させ、該給水路の水を該圧力室に導入する導水路と、(e)該圧力室の水を該給水路における前記主弁の下流部に抜き出す水抜路と、(f)該水抜路を開放して該主弁を開弁動作させ、給水を開始させる起動弁と、を備えてなる給水装置において、前記導水路を通常は絞った状態に維持し、人の操作に基づいて該導水路を該絞った状態から広開度状態に切り換えて前記圧力室への水の導入量を増し、給水を緊急停止する緊急停止弁と、該緊急停止弁を強制的に広開度側に操作する緊急停止操作部と、を設けたことを特徴とする。
【００１１】
請求項２のものは、請求項１において、前記導水路が前記主弁を貫通して前記給水路における前記主弁の上流部と前記圧力室とを連通させる第１導水路と、該主弁をバイパスして該上流部と該圧力室とを連通させる第２導水路とを含んで構成してあり、前記緊急停止弁が該第２導水路を開閉することによって前記導水路を前記絞った状態から広開度状態に切り換えるものであることを特徴とする。
【００１２】
請求項３のものは、請求項２において、前記第２導水路の流路面積が前記第１導水路の流路面積に対して大きくされていることを特徴とする。
【００１３】
請求項４のものは、請求項１〜３の何れかにおいて、便器洗浄水を給水するフラッシュバルブ装置として構成されていることを特徴とする。
【発明の作用・効果】
【００１４】
以上のように本発明は、導水路を通常は絞った状態に維持し、人の操作に基づいて導水路を絞った状態から広開度状態に切り換えて圧力室への水の導入量を増し、給水を緊急停止する緊急停止弁と、これを強制的に広開度側に操作する緊急停止操作部とを給水装置に設けたものである。
かかる本発明によれば、使用者が給水開始操作した後において途中で水を止めたいと思った時には、緊急停止操作部を操作することで、確実に継続中の給水を途中で停止させることができ、給水装置において従来生じていた問題を解決することができる。
【００１５】
本発明では、上記導水路を、主弁を貫通して給水路における主弁の上流部と圧力室とを連通させる第１導水路と、主弁をバイパスしてその上流部と圧力室とを連通させる第２導水路とを含んで構成しておくことができる。この場合において緊急停止弁を第２導水路を開閉することによって、導水路を上記の絞った状態から広開度状態に切り換えるものとなしておくことができる（請求項２）。
【００１６】
またこの場合において第２導水路の流路面積を、第１導水路の流路面積に対して大きくしておくことができる（請求項３）。
このようにしておくことで、緊急停止弁により第２導水路を開くことで給水路における上流部の水を大量に且つ速やかに圧力室へと導入することができ、これにより主弁を速やかに閉弁させて給水停止させることができる。
【００１７】
本発明は、給水開始してから設定量の水を給水した後に自動的に給水停止する各種給水装置に適用可能なものであるが、特に便器洗浄水を給水するフラッシュバルブ装置に適用して好適なものである（請求項４）。
【発明を実施するための最良の形態】
【００１８】
次に本発明の実施形態を図面に基づいて詳しく説明する。
図１において、１０は本発明の給水装置の一例としてのフラッシュバルブ装置で（ここでは大便器用のフラッシュバルブ装置）、１２は給水路、１４は給水路１２を開閉するピストン式の主弁である。
主弁１４は常時は弁座１６に着座した状態にあって、給水路１２における上流部１２Ａと下流部１２Ｂとを遮断した状態にある。
このフラッシュバルブ装置１０では、主弁１４が弁座１６から図中上向きに離れて開弁することで、給水路１２における上流部１２Ａと下流部１２Ｂとが連通状態となって、上流部１２Ａの水が下流部１２Ｂへと流れ込み、便器（大便器）に対し洗浄水として給水される。
【００１９】
主弁１４の背後（図中上側）には圧力室１８が形成されており、主弁１４は、通常時はこの圧力室１８内の水の圧力で図中下向きに押圧され、閉弁状態に維持される。
主弁１４には、給水路１２における上流部１２Ａの水を圧力室１８へと導入する、流路面積の小さい小孔からなる第１導水路２０が主弁１４を貫通する状態で設けられている。
一方圧力室１８からは、圧力室１８内の水を給水路１２における下流部１２Ｂへと抜き出すための水抜路２２が主弁１４を貫通して延び出しており、その水抜路２２上に傾動式の起動弁２４が設けられている。
この起動弁２４は軸部２６と弁部２８とを有しており、通常時はスプリング３０の図中下向きの付勢力によって、弁部２８が弁座３２に着座した状態にあり、水抜路２２を閉鎖状態に維持している。
ここでスプリング３０は、主弁１４と起動弁２４の弁部２８とにまたがって介装されている。
【００２０】
３４は給水開始操作を行うための操作レバーで、このフラッシュバルブ装置１０では操作レバー３４を傾動させると、駆動軸３６が図中左向きに突き出されて起動弁２４の軸部２６を図中左向きに押し、起動弁２４を傾動させる。
ここにおいて水抜路２２が開放されて、圧力室１８内の水が給水路１２の下流部１２Ｂへと抜き出される。
【００２１】
３８はストッパ軸で、このストッパ軸３８は主弁１４への当接作用により主弁１４の上昇端を規定する。即ち主弁１４の図中上方へのリフトアップ量を規定する。
このストッパ軸３８は大径部４０を有していてその外周面に雄ねじが形成され、その雄ねじがフラッシュバルブ装置１０におけるボデー４２の雌ねじに螺合されている。
ストッパ軸３８は、その螺合位置を変化させることによって図中上下方向の位置が調整される。即ち主弁１４のリフトアップ量が調整される。
【００２２】
４４は止水栓で、この止水栓４４は止水弁４６と、これを保持する保持体４８とを有している。保持体４８は止水栓４４におけるボデー５０にねじ結合され、組み付けられている。
止水弁４６は、弁部５１と軸部５２とを有しており、その弁部５１が弁座５４に着座することによって給水路１２を閉鎖する。
この止水栓４４は、操作開口５６を通じて止水弁４６を回転操作し、これにより止水弁４６を、保持体４８とのねじ結合部におけるねじ送りで図中上下方向に前進或いは後退移動させ、給水路１２を流通する水の流量を調節し、或いは止水を行う。
【００２３】
このフラッシュバルブ装置１０では、図２に示しているように操作レバー３４を傾動操作すると、起動弁２４が開弁して圧力室１８の水が水抜路２２を通じて給水路１２の下流部１２Ｂへと流れ出す。
ここにおいて圧力室１８の圧力が消失することで、主弁１４が給水路１２における上流部１２Ａの給水圧で図中上方に開弁させられ、給水路１２が開放される。ここにおいて上流部１２Ａから下流部１２Ｂへと水が流通して、便器に対する洗浄水として便器側に給水される。
【００２４】
一方主弁１４が開弁した後においては、上流部１２Ａの水が第１導水路２０を通じて圧力室１８へと流入する。これにより圧力室１８の圧力は漸次増大し、そして圧力室１８の圧力が所定圧力に達すると、その圧力室１８の水の圧力による押圧作用で主弁１４が閉弁して給水を停止する。
【００２５】
フラッシュバルブ装置１０にはまた、図３にも示しているように圧力室１８と給水路１２の上流部１２Ａとを連絡するバイパス管５８が設けられており、その内側に、上流部１２Ａの水を主弁１４をバイパスして圧力室１８に導入する第２導水路６０が形成されている。
この第２導水路６０は、上記第１導水路２０とともに上流部１２Ａの水を圧力室１８と導入する導水路を構成するもので、ここでは第２導水路６０の流路面積が第１導水路２０の流路面積に対して大きくされている。
【００２６】
この第２導水路６０上には、給水を強制的に緊急停止させるための緊急停止弁６２が設けられている。
緊急停止弁６２は、図１の部分拡大図及び図３に示しているように、バイパス管５８の一部を構成する弁ハウジング６３に形成された弁座６４に、シール部材６６を介して着座し又はこれから離間する弁部６８と、軸部７０とを有しており、弁ハウジング６３に軸方向に移動可能に保持されている。
弁ハウジング６３内には、緊急停止弁６２を閉弁方向に、具体的には図中上向きに付勢するスプリング７２が収容されており、緊急停止弁６２は、通常時はこのスプリング７２の付勢力に基づいて弁部６８を弁座６４に着座させた状態、即ち閉弁状態に維持されている。
【００２７】
この緊急停止弁６２には、緊急停止操作を行うための押ボタン式の緊急停止操作部７４が一体的に設けられている。ここで緊急停止操作部７４は、弁ハウジング６３の開口より図中上向きに突出させられており、この緊急停止操作部７４を図中下向きに押込操作すると、緊急停止弁６２の弁部６８が弁座６４から図中下向きに離れて、緊急停止弁６２が開弁する。
ここにおいて第２導水路６０が開放状態となって、給水路１２における上流部１２Ａと背圧室１８とが第２導水路６０を介して連通した状態となり、上流部１２Ａの水が、この第２導水路６０を通じて背圧室１８へと導入されるようになる。
【００２８】
即ち緊急停止弁６２は通常時は閉弁状態に維持され、従って第１導水路２０と第２導水路６０にて構成された導水路は、通常時はその流路が絞られた状態にあり、緊急停止弁６２が開弁して第２導水路６０が開放されると、これら第１導水路２０及び第２導水路６０からなる導水路が広開度状態に切り換り、給水路１２における上流部１２Ａの水が多量に背圧室１８内に導入される。
詳しくは緊急停止弁６２が閉弁状態の下では、図３に示しているように主弁１４の開弁後において給水路１２における上流部１２Ａの水は主弁１４を貫通して設けられた流路面積の小さな第１導水路２０を通じてのみ圧力室１８へと流入する。従って開弁した主弁１４はゆっくりと時間をかけて閉弁動作し、その間に設定量の便器洗浄水を便器側に給水する。
【００２９】
一方給水開始後において、図４に示しているように給水中に緊急停止操作部７４を図中下向きに押して緊急停止弁６２を開弁させると、ここにおいて給水路１２における上流部１２Ａの水が第１導水路２０だけでなく、流路面積の大きい第２導水路６０を通じても圧力室１８へと流入するために、全体として圧力室１８への流入水流が急激に増大し、そのため主弁１４は開弁後において速やかに閉弁して給水を停止する。
従って給水開始後において、給水継続中に使用者が緊急停止操作部７４を操作して緊急停止弁６２を開弁させることで、継続中の給水を強制的に緊急停止させることができる。
【００３０】
以上のように本実施形態によれば、使用者が給水開始操作した後において途中で水を止めたいと思った時には、緊急停止操作部７４を操作することで、確実に継続中の給水を途中で停止させることができ、フラッシュバルブ装置１０において従来生じていた問題を解決することができる。
【００３１】
本実施形態では、導水路を、主弁１４を貫通して給水路１２における主弁１４の上流部１２Ａと圧力室１８とを連通させる第１導水路２０と、主弁１４をバイパスして上流部１２Ａと圧力室１８とを連通させる第２導水路６０とを含んで構成してあるため、緊急停止弁６２を第２導水路６０を開閉することによって、導水路を絞った状態から広開度状態に切り換えることができる。
この場合において第２導水路６０の流路面積を第１導水路２０の流路面積に対して大きくしてあるため、緊急停止弁６２により第２導水路６０を開くことによって、給水路１２における上流部１２Ａの水を大量に且つ速やかに圧力室１８へと導入することができ、主弁１４を速やかに閉弁させて給水停止させることができる。
【００３２】
以上の例は、図５（Ａ）に示しているように導水路として主弁１４を貫通する第１導水路２０と、主弁１４をバイパスする、第１導水路２０よりも流路面積の大きな第２導水路６０とを設けて、その第２導水路６０上にこれを開閉する緊急停止弁６２を設け、緊急停止弁６２の開弁動作によって通常時の導水路を絞った状態から広開度状態に切り換えるようになした例であるが、図５（Ｂ）に示しているように、第１導水路２０の流路面積を大きく、また第２導水路６０の流路面積を小さくして、緊急停止弁６２を第１導水路２０側に設け、かかる緊急停止弁６２によって第１導水路２０を開閉することで、導水路を通常時の絞った状態から広開度状態に切り換えるようになすことも可能である。
尚この場合、第２導水路６０は常時給水路１２における上流部１２Ａと圧力室１８とを連通した状態にあり、緊急停止弁６２が開弁操作されない状態の下で、主弁１４の開弁後における上流部１２Ａの水の圧力室１８Ａの導入は、この第２導水路６０を通じて行われる。
【００３３】
一方（Ｃ）の例に従って、主弁１４をバイパスする導水路７６のみを設けておき、この導水路７６上に、導水路７６の流路面積を通常時の絞った状態から緊急停止時の広開度状態に切り換える緊急停止弁を設けておくといったことも可能である。
この場合において、導水路７６を途中で二股に分岐させておいて、その何れか一方に緊急停止弁を設け、その緊急停止弁によって一方の分岐路を開閉するようになすことができる。
【００３４】
（Ｄ）は更に他の例を示したもので、この例は、主弁１４を貫通する形態で導水路７６を設け、この導水路７６上に緊急停止弁を設けて、この緊急停止弁により導水路７６の流路面積を通常時の絞った状態から広開度状態に切り換えるようになした例である。
この場合においても導水路７６を途中で二股に分岐させて、何れか一方に緊急停止弁を開閉可能に設けておき、緊急停止弁を開弁させることで一方の分岐路を開放状態として、導水路７６を通常時の絞った状態から広開度状態に切り換えるようになすことができる。
【００３５】
以上の例では緊急停止操作部を手動式となしているが、この緊急停止操作部はセンサ式の操作部となしておくこともできる。
即ち使用者が手かざし操作したときにこれを非接触で検知し、その手かざしの検知に基づいて緊急停止弁を閉弁状態等の流路を絞った状態から開弁状態等の広開度状態へと切り換えるものとなすことができる。
この場合において緊急停止弁は、電磁弁等の電気駆動弁として構成しておくと好都合である。
【００３６】
図６は緊急停止操作部をセンサ式の操作部となした場合の一例を示している。
この例のフラッシュバルブ装置１０において８０は、人体検知してから非検知状態となることによって自動的に主弁を開弁させて給水を開始させるための、即ち給水開始させるための、ハウジング８０の前面に設けられたセンサ式の給水開始操作部で、８２は使用者が手かざし操作したときにこれを非接触で検知して主弁を開き、強制的に便器洗浄水を給水開始させるための給水開始操作部である。
また８４は同じくセンサ式の緊急停止操作部であって、同じく使用者が手かざし操作すると、これを非接触で検知して緊急停止弁を強制的に開くなど広開度側に動作させ、給水継続途中で給水を緊急停止させる。
【００３７】
以上本発明の実施形態を詳述したがこれらはあくまで一例示である。
例えば本発明は小便器のフラッシュバルブ装置への適用はもとより、上記のような自閉式水栓(セルフストップ水栓)への適用も可能である等、その趣旨を逸脱しない範囲において種々変更を加えた形態で構成可能である。
【図面の簡単な説明】
【００３８】
【図１】本発明の一実施形態であるフラッシュバルブ装置を切り欠いて示す正面図である。
【図２】同実施形態のフラッシュバルブ装置の一作用説明図である。
【図３】同実施形態のフラッシュバルブ装置の要部を拡大して示した図である。
【図４】図３に示す要部の作用説明図である。
【図５】本発明の他の実施形態説明する模式図である。
【図６】本発明の更に他の実施形態を示す図である。
【符号の説明】
【００３９】
１０  フラッシュバルブ装置
１２  給水路
１２Ａ  上流部
１２Ｂ  下流部
１４  主弁
１８  圧力室
２０  第１導水路
２２  水抜路
２４  起動弁
６０  第２導水路
６２  緊急停止弁
７４  緊急停止操作部
【図１】
2007177393.tif 000003
【図２】
2007177393.tif 000004
【図３】
2007177393.tif 000005
【図４】
2007177393.tif 000006
【図５】
2007177393.tif 000007
【図６】
2007177393.tif 000008